(57)【要約】【課題】どの室内ユニットの電動膨張弁が異常かを識別することができる多室形空気調和機の制御方法を提供する。【解決手段】能力可変圧縮機１と室外熱交換器２を有する１台の室外ユニット３と、室外ユニット３に接続される複数の室内ユニット８ａ、８ｂ――８ｎ（以下「室内ユニット８ｎ」という）からなり、室内ユニット８ｎは、電動膨張弁４と、室内熱交換器５と、室内熱交換器５の温度を検知する室内熱交換器温度検知手段６と、異常表示手段７を有し、複数の室内ユニット８ｎを個別に運転又は停止を行うことができる多室形空気調和機において、冷房運転時に、停止室内ユニットの電動膨張弁４の異常を検知して冷房運転を停止し、複数の室内ユニット８ｎの中でいずれの室内ユニットの電動膨張弁４が異常で運転停止したかを識別できる機能を備えたもので、異常が発生した室内ユニットの室内熱交換器５が凍結することを防止することができる。【選択図】図１
2009145005.tif 000002
【特許請求の範囲】
【請求項１】
能力可変圧縮機と室外熱交換器を有する１台の室外ユニットと、前記室外ユニットに接続される複数の室内ユニットと、前記室外ユニットと前記複数の室内ユニット間を通信する通信手段とから構成され、前記室内ユニットは、電動膨張弁と、室内熱交換器と、前記室内熱交換器の温度を検知する室内熱交換器温度検知手段と、異常表示手段を有し、前記複数の室内ユニットを個別に運転又は停止を行うことができる多室形空気調和機において、停止室内ユニットが存在する冷房運転時に、前記停止室内ユニットの電動膨張弁の異常を検知して冷房運転を停止し、前記複数の室内ユニットの中でいずれの室内ユニットの電動膨張弁が異常で運転停止したかを識別できる機能を備えたことを特徴とする多室形空気調和機の制御方法。
【請求項２】
停止室内ユニットが存在する冷房運転時に、前記停止室内ユニットの電動膨張弁の異常を検知して冷房運転を強制的にサーモオフ停止し、再起動するまでの間、複数の室内ユニットの中でいずれの室内ユニットの電動膨張弁が異常で運転停止したかを識別できる機能を備えたことを特徴とする請求項１に記載の多室形空気調和機の制御方法。
【請求項３】
停止室内ユニットが存在する冷房運転時に、前記停止室内ユニットの電動膨張弁の異常を検知し、異常検知初回は、冷房運転を強制的にサーモオフ停止し、再起動するまでの間、複数の室内ユニットの中でいずれの室内ユニットの電動膨張弁が異常で運転停止したかを識別でき、異常検知初回以後、異常検知回数をカウントし、前記異常検知回数が第２の一定しきい値に到達すると異常表示をする機能を備えたことを特徴とする請求項１又は２に記載の多室形空気調和機の制御方法。
【請求項４】
停止室内ユニットが存在する冷房運転時に、前記停止室内ユニットの電動膨張弁の異常を検知し、異常検知初回は、冷房運転を強制的にサーモオフ停止し、再起動するまでの間、複数の室内ユニットの中でいずれの室内ユニットの電動膨張弁が異常で運転停止したかを識別でき、異常検知初回以後、異常検知回数と、前記異常検知初回からの圧縮機の累計運転時間をそれぞれカウントし、前記累計運転時間が、第３の一定しきい値までの間に、前記異常検知回数が第４の一定しきい値に到達すると異常表示を行い、前記累計運転時間が、前記第３の一定しきい値に到達しても、前記異常検知回数が前記第４の一定しきい値に到達していなければ異常検知回数をリセットする機能を備えたことを特徴とする請求項１又は２に記載の多室形空気調和機の制御方法。
【請求項５】
停止室内ユニットが存在する冷房運転時に、前記停止室内ユニットの電動膨張弁の異常を検知し、異常検知初回は、冷房運転を強制的にサーモオフ停止し、再起動するまでの間、複数の室内ユニットの中でいずれの室内ユニットの電動膨張弁が異常で運転停止したかを識別でき、異常を検知した初回から２回目までの時間が、第５の一定しきい値以下であれば即時運転停止して異常表示をする機能を備えたことを特徴とする請求項１又は２に記載の多室形空気調和機の制御方法。
【発明の詳細な説明】
【技術分野】
【０００１】
本発明は、１台の室外ユニットに複数の室内ユニットを接続して、個別に冷房運転又は停止できる多室形空気調和機の制御方法に関するもので、特に室内ユニットに搭載した電動膨張弁の異常検知方法に関するものである。
【背景技術】
【０００２】
従来、この種の空気調和機の電動膨張弁の異常表示については、運転開始時に電動膨張弁の異常を検知することにより、効率が悪くなった運転をユーザーへ警告するようにしていた（例えば、特許文献１参照）。
【０００３】
図７は、上記特許文献１に記載された従来の空気調和機の制御方法を示すフローチャートである。
【０００４】
図７に示すように、従来の空気調和機の制御方法においては、冷房運転開始時、検知した室内温度をＴＳ１とする（ステップＳ１０１）。室内配管温度は、運転を開始してから変化するが、ｔ時間経過後の室内配管温度と運転開始時の室内温度ＴＳ１との差を△Ｔとする（ステップＳ１０２）。ステップＳ１０３で、ユーザーによって設定された設定温度と室内温度により、インバータで駆動される圧縮機の運転能力を判断する。
【０００５】
ステップＳ１０４で、判断された圧縮機の運転能力により、前記ｔ時間経過後の△Ｔの目標値を補正し、△Ｔが、正常に運転できる前記補正された目標値まで低下しているか否かにより、電動電磁弁が正常か否かを判断する。△Ｔ、即ち配管温度が目標値まで低下していれば電動電磁弁は正常と判断し、また、目標値まで低下していなければ電動電磁弁は異常と判断し、ユーザーに告知するため警告表示を行う（ステップＳ１０５）。
【特許文献１】特許第３５９０４９９号公報
【発明の開示】
【発明が解決しようとする課題】
【０００６】
しかしながら、前記従来の空気調和機の制御方法は、室内ユニットと室外ユニット各１台の空気調和機には適するが、室外ユニット１台に対し、室内ユニットを複数台接続する多室形空気調和機においては、何れの室内ユニット系統の電動膨張弁が異常であるか識別できない、また、停止頻度の高い室内ユニット系統の電動膨張弁に異物などが挟まり異常となった場合、室内熱交換器は凍結に至る可能性があるが異常を検知できないという課題を有していた。
【０００７】
本発明は、前記従来の課題を解決するもので、停止した室内ユニットが存在する冷房運転時に、停止した室内ユニットの電動膨張弁の異常を検知して冷房運転を停止し、複数の室内ユニットの中でいずれの室内ユニットの電動膨張弁が異常で運転停止したかを識別できる多室形空気調和機の制御方法を提供することを目的とする。
【課題を解決するための手段】
【０００８】
前記従来の課題を解決するために、本発明の多室形空気調和機の制御方法は、能力可変圧縮機と室外熱交換器を有する１台の室外ユニットと、前記室外ユニットに接続される複数の室内ユニットと、前記室外ユニットと前記複数の室内ユニット間を通信する通信手段とから構成され、前記室内ユニットは、電動膨張弁と、室内熱交換器と、前記室内熱交換器の温度を検知する室内熱交換器温度検知手段と、異常表示手段を有し、前記複数の室内ユニットを個別に運転又は停止を行うことができる多室形空気調和機において、停止室内
ユニットが存在する冷房運転時に、前記停止室内ユニットの電動膨張弁の異常を検知して冷房運転を停止し、前記複数の室内ユニットの中でいずれの室内ユニットの電動膨張弁が異常で運転停止したかを識別できる機能を備えたもので、停止室内ユニットが存在する冷房運転時に、停止室内ユニットの電動膨張弁の異常を検知して冷房運転を停止し異常が発生した室内ユニットの室内熱交換器が凍結することを防ぎ、複数の室内ユニットの中でいずれの室内ユニットの電動膨張弁が異常で運転停止したかを識別することができ故障を修理するサービス時に異常室内ユニットを特定することができる。
【発明の効果】
【０００９】
本発明の多室形空気調和機の制御方法は、室外ユニットに接続された複数の室内ユニットの中でいずれの室内ユニットの電動膨張弁が異常で運転停止したかを異常表示の識別により故障を修理するサービス時に異常室内ユニットを特定することができる。
【発明を実施するための最良の形態】
【００１０】
第１の発明は、能力可変圧縮機と室外熱交換器を有する１台の室外ユニットと、前記室外ユニットに接続される複数の室内ユニットと、前記室外ユニットと前記複数の室内ユニット間を通信する通信手段とから構成され、前記室内ユニットは、電動膨張弁と、室内熱交換器と、前記室内熱交換器の温度を検知する室内熱交換器温度検知手段と、異常表示手段を有し、前記複数の室内ユニットを個別に運転又は停止を行うことができる多室形空気調和機において、停止室内ユニットが存在する冷房運転時に、前記停止室内ユニットの電動膨張弁の異常を検知して冷房運転を停止し、前記複数の室内ユニットの中でいずれの室内ユニットの電動膨張弁が異常で運転停止したかを識別できる機能を備えたもので、停止室内ユニットが存在する冷房運転時に、停止室内ユニットの電動膨張弁の異常を検知して冷房運転を停止し異常が発生した室内ユニットの室内熱交換器が凍結することを防ぎ、複数の室内ユニットの中でいずれの室内ユニットの電動膨張弁が異常で運転停止したかを識別することができ故障を修理するサービス時に異常室内ユニットを特定することができる。
【００１１】
第２の発明は、特に、第１の発明の停止室内ユニットが存在する冷房運転時に、前記停止室内ユニットの電動膨張弁の異常を検知して冷房運転を強制的にサーモオフ停止し、再起動するまでの間、複数の室内ユニットの中でいずれの室内ユニットの電動膨張弁が異常で運転停止したかを識別できる機能を備えたもので、冷房運転時に、停止室内ユニットの電動膨張弁の異常を検知して冷房運転を強制的にサーモオフ停止し、異常が発生した室内ユニットの室内熱交換器が凍結することを防ぎ、サーモオフ中にユーザーに対し複数の室内ユニットの中でいずれの室内ユニットの電動膨張弁が異常で運転停止したかを警告することができ、また、誤検知を防止するため再起動して冷房運転を行い電動膨張弁が確実に異常かを再確認することができる。
【００１２】
第３の発明は、特に、第１又は第２の発明の停止室内ユニットが存在する冷房運転時に、前記停止室内ユニットの電動膨張弁の異常を検知し、異常検知初回は、冷房運転を強制的にサーモオフ停止し、再起動するまでの間、複数の室内ユニットの中でいずれの室内ユニットの電動膨張弁が異常で運転停止したかを識別でき、異常検知初回以後、異常検知回数をカウントし、前記異常検知回数が第２の一定しきい値に到達すると異常表示をする機能を備えたもので、誤検知を防止するため、異常検知回数が第２の一定しきい値に到達するまで再起動して冷房運転を行い、電動膨張弁が確実に異常なのかを再確認することができる。
【００１３】
第４の発明は、特に、第１又は第２の発明の停止室内ユニットが存在する冷房運転時に、前記停止室内ユニットの電動膨張弁の異常を検知し、異常検知初回は、冷房運転を強制的にサーモオフ停止し、再起動するまでの間、複数の室内ユニットの中でいずれの室内ユ
ニットの電動膨張弁が異常で運転停止したかを識別でき、異常検知初回以後、異常検知回数と、前記異常検知初回からの圧縮機の累計運転時間をそれぞれカウントし、前記累計運転時間が、第３の一定しきい値までの間に、前記異常検知回数が第４の一定しきい値に到達すると異常表示を行い、前記累計運転時間が、前記第３の一定しきい値に到達しても、前記異常検知回数が前記第４の一定しきい値に到達していなければ異常検知回数をリセットする機能を備えたもので、誤検知を防止するため、圧縮機累計運転時間が第３の一定しきい値までの間に異常検知回数が第４の一定しきい値に到達するまで再起動して冷房運転を行い電動膨張弁が確実に異常なのかを再確認することができる。
【００１４】
第５の発明は、特に、第１又は第２の発明の停止室内ユニットが存在する冷房運転時に、前記停止室内ユニットの電動膨張弁の異常を検知し、異常検知初回は、冷房運転を強制的にサーモオフ停止し、再起動するまでの間、複数の室内ユニットの中でいずれの室内ユニットの電動膨張弁が異常で運転停止したかを識別でき、異常を検知した初回から２回目までの時間が、第５の一定しきい値以下であれば即時運転停止して異常表示をする機能を備えたもので、誤検知を防止するため、異常検知初回は冷房運転を強制的にサーモオフ停止し、再起動して冷房運転を行い電動膨張弁が確実に異常かを再確認することができ、異常を検知した初回から２回目までの時間が第５の一定しきい値以下であれば即時運転停止して異常表示をすることで室内熱交換器の凍結を確実に防止することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における多室形空気調和機の制御方法の構成概念図、図２は、同多室形空気調和機の制御方法を示すフローチャートである。
【００１７】
図１において、室外ユニット３は、能力可変圧縮機１と、室外熱交換器２を有し、複数の室内ユニット８ａ、８ｂ、８ｃ――８ｎ（以下「室内ユニット８ｎ」という）に、通信手段９を介して接続されている。
【００１８】
室内ユニット８ｎのそれぞれは、電動膨張弁４と、室内熱交換器５と、室内熱交換器５の温度を検知する室内熱交換器温度検知手段６と、異常表示手段７を有している。
【００１９】
図１および図２により、本実施の形態における多室形空気調和機の制御方法の動作作用について説明する。
【００２０】
冷房運転（ＳＴＥＰ０）した際、個々の室内ユニット８ｎ毎に、自己室内ユニットが運転停止しているかを判定する運転判定（ＳＴＥＰ１ｎ）で判定し、自己室内ユニットが運転停止していなければ（ＳＴＥＰ１ｎでＮｏ）運転停止の判定（ＳＴＥＰ１ｎ）を続け、自己室内ユニットが運転停止（ＳＴＥＰ１ｎでＹｅｓ）であれば、室内熱交換器温度検知手段６で、室内熱交換器５の温度を検知（ＳＴＥＰ２ｎ）し、室内熱交換器温度が一定しきい値未満となっていないか異常判定（ＳＴＥＰ３ｎ）を行う。
【００２１】
異常判定で、室内熱交換器温度が一定しきい値未満でなければ（ＳＴＥＰ３ｎでＮｏ）、自己室内ユニットの運転停止判定（ＳＴＥＰ１ｎ）に戻り、異常判定（ＳＴＥＰ３ｎ）で、室内熱交換器温度が一定しきい値未満であれば（ＳＴＥＰ３ｎでＹｅｓ）、電動膨張弁４の異常検知（ＳＴＥＰ４ｎ）を行い、自己室内ユニットの異常表示手段７ｎで、異常表示（ＳＴＥＰ５ｎ）を行い、冷房運転を停止（ＳＴＥＰ６）する。
【００２２】
以上のように本実施の形態における多室形空気調和機の制御方法によれば、停止室内ユ
ニットが存在する冷房運転時に、停止室内ユニットの電動膨張弁４の異常を検知して冷房運転を停止し、異常が発生した室内ユニットの室内熱交換器が凍結することを防ぎ、複数の室内ユニット８ｎの中でいずれの室内ユニットの電動膨張弁４が異常で運転停止したかを識別することができ故障を修理するサービス時に異常室内ユニットを特定することができる。
【００２３】
（実施の形態２）
図３は、本発明の第２の実施の形態における多室形空気調和機の制御方法のフローチャートである。なお、上記第１の実施の形態における多室形空気調和機の制御方法と同一部分には、同一符号を付してその説明を省略する。
【００２４】
図３により、本実施の形態における多室形空気調和機の制御方法の動作、作用について説明する。
【００２５】
冷房運転（ＳＴＥＰ０）した際、個々の室内ユニット８ｎ毎に自己室内ユニットが運転停止しているかを判定する運転判定（ＳＴＥＰ１ｎ）で判定し、自己室内ユニットが運転停止（ＳＴＥＰ１ｎでＹｅｓ）であれば、室内熱交換器温度検知手段６で室内熱交換器５の温度を検知（ＳＴＥＰ２ｎ）し、室内熱交換器温度が一定しきい値未満となっていないか異常判定（ＳＴＥＰ３ｎ）を行う。
【００２６】
異常判定（ＳＴＥＰ３ｎ）で、室内熱交換器温度が一定しきい値未満であれば（ＳＴＥＰ３ｎでＹｅｓ）、電動膨張弁４の異常検知（ＳＴＥＰ４ｎ）を行い、自己室内ユニットの異常表示手段７で異常表示（ＳＴＥＰ５ｎ）を行い、異常表示を行ったまま、全室内ユニット８ｎを強制サーモオフ（ＳＴＥＰ１７）し、再起動遅延（ＳＴＥＰ１８）を行う。再起動遅延（ＳＴＥＰ１８）完了後、室内ユニット８ｎの個々の異常表示を消灯（ＳＴＥＰ１９ｎ）し、冷房運転（ＳＴＥＰ０）を再開する。
【００２７】
以上のように本実施の形態における多室形空気調和機の制御方法によれば、停止室内ユニットが存在する冷房運転時に、停止室内ユニットの電動膨張弁４の異常を検知して冷房運転を強制的にサーモオフ停止し、異常が発生した室内ユニットの室内熱交換器５が凍結することを防ぎ、サーモオフ中にユーザーに対し複数の室内ユニット８ｎの中でいずれの室内ユニットの電動膨張弁４が異常で運転停止したかを警告することができ、また、誤検知を防止するため再起動して冷房運転を行い電動膨張弁４が確実に異常なのかを再確認することができる。
【００２８】
（実施の形態３）
図４は、本発明の第３の実施の形態における多室形空気調和機の制御方法のフローチャートである。なお、上記第２の実施の形態における多室形空気調和機の制御方法と同一部分には、同一符号を付してその説明を省略する。
【００２９】
図４により、本実施の形態における多室形空気調和機の制御方法の動作、作用について説明する。
【００３０】
冷房運転（ＳＴＥＰ０）した際、個々の室内ユニット８ｎ毎に、自己室内ユニットが運転停止しているかを判定する運転判定（ＳＴＥＰ１ｎ）で判定し、自己室内ユニットが運転停止（ＳＴＥＰ１ｎのＹｅｓ）であれば、室内熱交換器温度検知手段６で室内熱交換器５の温度を検知（ＳＴＥＰ２ｎ）し、室内熱交換器温度が一定しきい値未満でとなっていないか異常判定（ＳＴＥＰ３ｎ）を行う。
【００３１】
異常判定（ＳＴＥＰ３ｎ）で、室内熱交換器温度が一定しきい値未満であれば（ＳＴＥ
Ｐ３ｎでＹｅｓ）、電動膨張弁４の異常検知（ＳＴＥＰ４ｎ）を行い、自己室内ユニットの異常表示手段７で異常表示（ＳＴＥＰ５ｎ）を行い、異常回数をカウント（ＳＴＥＰ２１ｎ）し、異常表示を行ったまま、全室内ユニット８ｎを強制サーモオフ（ＳＴＥＰ１７）して、再起動遅延（ＳＴＥＰ１８）を行う。
【００３２】
再起動遅延（ＳＴＥＰ１８）完了後、個々の室内ユニット８ｎにおいて、異常検知回数カウントが第２の一定しきい値未満かどうかの判定（ＳＴＥＰ２２ｎ）を行い、異常検知回数が第２の一定しきい値未満であれば（ＳＴＥＰ２２ｎでＮｏ）、異常表示を消灯（ＳＴＥＰ１９ｎ）し、冷房運転（ＳＴＥＰ０）を再開する。異常検知回数が、第２のしきい値を越えていれば（ＳＴＥＰ２２ｎのＹｅｓ）異常表示を行った状態で運転停止（ＳＴＥＰ６）する。
【００３３】
以上のように本実施の形態における多室形空気調和機の制御方法によれば、停止室内ユニットが存在する冷房運転時に、停止室内ユニットの電動膨張弁４の異常を検知し、異常検知初回は、冷房運転を強制的にサーモオフ停止し、再起動するまでの間、複数の室内ユニット８ｎの中でいずれの室内ユニットの電動膨張弁４が異常で運転停止したかを識別でき、異常検知初回以後、異常検知回数をカウントし異常検知回数が第２のしきい値に到達すると、異常表示をすることから、誤検知を防止するため異常検知回数が、第２のしきい値に到達するまで再起動して冷房運転を行い電動膨張弁が確実に異常かを再確認することができる。
【００３４】
（実施の形態４）
図５は、本発明の第４の実施の形態における多室形空気調和機の制御方法のフローチャートである。なお、上記実施の形態における多室形空気調和機の制御方法と同一部分には、同一符号を付してその説明を省略する。
【００３５】
図５により、本実施の形態における多室形空気調和機の制御方法の動作、作用について説明する。
【００３６】
冷房運転（ＳＴＥＰ０）した際、個々の室内ユニット８ｎ毎に自己室内ユニットが運転停止しているかを判定する運転判定（ＳＴＥＰ１ｎ）で判定し、自己室内ユニットが運転停止（ＳＴＥＰ１ｎのＹｅｓ）であれば、室内熱交換器温度検知手段６で室内熱交換器５の温度を検知（ＳＴＥＰ２ｎ）し、室内熱交換器温度が一定しきい値未満となっていないかどうかの異常判定（ＳＴＥＰ３ｎ）を行う。
【００３７】
異常判定（ＳＴＥＰ３ｎ）で、室内熱交換器温度が一定しきい値未満であれば（ＳＴＥＰ３ｎでＹｅｓ）、電動膨張弁４の異常検知（ＳＴＥＰ４ｎ）を行い、自己室内ユニットの異常表示手段７で異常表示（ＳＴＥＰ５ｎ）を行い、異常回数をカウント（ＳＴＥＰ２１ｎ）し、異常初回からの能力可変圧縮機１の累計運転時間カウント（ＳＴＥＰ３１ｎ）を行い、異常表示を行ったまま、全室内ユニット８ｎを強制サーモオフ（ＳＴＥＰ１７）して、再起動遅延（ＳＴＥＰ１８）を行う。
【００３８】
再起動遅延（ＳＴＥＰ１８）完了後、個々の室内ユニット８ｎにおいて、圧縮機累計運転時間判定（ＳＴＥＰ３２ｎ）を行い、能力可変圧縮機１の累計運転時間カウントが、第３の一定しきい値未満でなければ（ＳＴＥＰ３２ｎでＮｏ）、異常検知回数リセット（ＳＴＥＰ３３ｎ）を行い、異常表示を消灯（ＳＴＥＰ１９ｎ）し、冷房運転（ＳＴＥＰ０）を再開する。
【００３９】
能力可変圧縮機１の累計運転時間カウントが、第３の一定しきい値未満であれば（ＳＴＥＰ３２ｎでＹｅｓ）、異常検知回数カウントしきい値未満判定（ＳＴＥＰ２２ｎ）を行
い、異常検知回数が第４の一定しきい値を超えていれば（ＳＴＥＰ２２ｎでＹｅｓ）異常表示を行った状態で運転停止（ＳＴＥＰ６）する。
【００４０】
以上のように本実施の形態における多室形空気調和機の制御方法によれば、停止室内ユニットが存在する冷房運転時に、停止室内ユニットの電動膨張弁４の異常を検知し、異常検知初回は、冷房運転を強制的にサーモオフ停止し、再起動するまでの間、複数の室内ユニット８ｎの中でいずれの室内ユニットの電動膨張弁４が異常で運転停止したかを識別でき、異常検知初回以後、異常検知回数と、圧縮機累計運転時間をカウントして、圧縮機累計運転時間が、第３の一定しきい値までの間に、異常検知回数が第４の一定しきい値に到達すると異常表示を行い、圧縮機累計運転時間が第３の一定しきい値に到達しても、異常検知回数が第４の一定しきい値に到達しなければ異常検知回数をリセットするので、誤検知を防止するため圧縮機累計運転時間が、第３の一定しきい値までの間に異常検知回数が第４の一定しきい値に到達するまで再起動して冷房運転を行い電動膨張弁４が確実に異常かを再確認することができる。
【００４１】
（実施の形態５）
図６は、本発明の第５の実施の形態における多室形空気調和機の制御方法のフローチャートである。なお、上記実施の形態における多室形空気調和機の制御方法と同一部分には、同一符号を付してその説明を省略する。
【００４２】
図６により本実施の形態における多室形空気調和機の制御方法の動作、作用について説明する。
【００４３】
冷房運転（ＳＴＥＰ０）した際、個々の室内ユニット８ｎ毎に、自己室内ユニットが運転停止しているかを判定する運転判定（ＳＴＥＰ１ｎ）で判定し、自己室内ユニットが運転停止（ＳＴＥＰ１ｎでＹｅｓ）であれば、室内熱交換器温度検知手段６で室内熱交換器５の温度を検知（ＳＴＥＰ２ｎ）し、室内熱交換器温度が一定しきい値未満となっていないかどうかの異常判定（ＳＴＥＰ３ｎ）を行う。
【００４４】
異常判定（ＳＴＥＰ３ｎ）で、室内熱交換器温度が一定しきい値未満であれば（ＳＴＥＰ３ｎでＹｅｓ）、電動膨張弁４の異常検知（ＳＴＥＰ４ｎ）し、自己室内ユニットの異常表示手段７で異常表示（ＳＴＥＰ５ｎ）を行い、異常回数をカウント（ＳＴＥＰ２１ｎ）し、異常初回からの時間カウント（ＳＴＥＰ４１ｎ）を行い、異常表示を行ったまま、全室内ユニットを強制サーモオフ（ＳＴＥＰ１７）して、再起動遅延（ＳＴＥＰ１８）を行う。
【００４５】
再起動遅延（ＳＴＥＰ１８）完了後、個々の室内ユニット８ｎにおいて、異常初回からの時間判定（ＳＴＥＰ４２ｎ）を行い、異常初回からの時間カウント（ＳＴＥＰ４１ｎ）が異常初回からの第５の一定しきい値時間未満でなければ（ＳＴＥＰ４２ｎのＮｏ）、異常表示を消灯（ＳＴＥＰ１９ｎ）し、異常回数リセット（ＳＴＥＰ４３ｎ）を行い、冷房運転（ＳＴＥＰ０）を再開する。異常初回からの時間カウント（ＳＴＥＰ４１ｎ）が、異常初回からの第５の一定しきい値時間未満であれば（ＳＴＥＰ４２ｎでＹｅｓ）異常表示を行った状態で運転停止（ＳＴＥＰ６）する。
【００４６】
以上のように本実施の形態における多室形空気調和機の制御方法によれば、停止室内ユニットが存在する冷房運転時に、停止室内ユニットの電動膨張弁４の異常を検知し、異常検知初回は、冷房運転を強制的にサーモオフ停止し、再起動するまでの間、複数の室内ユニット８ｎの中でいずれの室内ユニット８ｎの電動膨張弁４が異常で運転停止したかを識別でき、異常を検知した初回から２回目までの時間が第５の一定しきい値以下であれば即時運転停止して異常表示をすることから、誤検知を防止するため異常検知初回は、冷房運
転を強制的にサーモオフ停止し、再起動して冷房運転を行い電動膨張弁４が確実に異常かを再確認することができ、異常を検知した初回から２回目までの時間が第５の一定しきい値以下であれば即時運転停止して異常表示をすることで室内熱交換器５の凍結を確実に防止することができる。
【産業上の利用可能性】
【００４７】
以上のように、本発明にかかる多室形空気調和機の制御方法は、室外ユニットに接続された複数の室内ユニットの中でいずれの室内ユニットの電動膨張弁が異常で運転停止したかを識別することができるので、蓄熱式多室形空気調和機等にも適用できる。
【図面の簡単な説明】
【００４８】
【図１】本発明の実施の形態１における多室形空気調和機の制御構成概念図
【図２】同多室形空気調和機の制御方法を示すフローチャート
【図３】本発明の実施の形態２における多室形空気調和機の制御方法のフローチャート
【図４】本発明の実施の形態３における多室形空気調和機の制御方法のフローチャート
【図５】本発明の実施の形態４における多室形空気調和機の制御方法のフローチャート
【図６】本発明の実施の形態５における多室形空気調和機の制御方法のフローチャート
【図７】従来の多室形空気調和機の制御方法を示すフローチャート
【符号の説明】
【００４９】
１  能力可変圧縮機
２  室外熱交換器
３  室外ユニット
４  電動膨張弁
５  室内熱交換器
６  室内熱交換器温度検知手段
７  異常表示手段
８ａ、８ｂ――８ｎ  室内ユニット
９  通信手段
【図１】
2009145005.tif 000003
【図２】
2009145005.tif 000004
【図３】
2009145005.tif 000005
【図４】
2009145005.tif 000006
【図５】
2009145005.tif 000007
【図６】
2009145005.tif 000008
【図７】
2009145005.tif 000009